(57)【要約】【課題】商品見本の取り付けを簡便、確実にして作業性を向上するとともに、商品見本の取り付け不良による傾きや外れを防止することができる自動販売機の商品見本展示装置を提供する。【解決手段】商品見本８１の係合部８１ｅを嵌合保持する開口部７２が形成されたステージ７１を有するディスプレイ台７０を備えた自動販売機の商品見本展示装置において、商品見本８１の係合部８１ｅには突起部８１ｆを設けるとともに、ステージ７１の開口部７２には当該突起部８１ｆに係合する切欠き部７２ａを設け、商品見本８１の係合部８１ｅをステージ７１の開口部７２に挿入後、回転させ、突起部８１ｆを切欠き部７２ａに当接させることで商品見本８１をステージ７１の開口部７２に嵌合保持させる。【選択図】図１０
2018010469.tif 000002
【特許請求の範囲】
【請求項１】
本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部には突起部を設けるとともに、前記ステージの開口部には当該突起部に係合する切欠き部を設け、
前記商品見本の係合部を前記ステージの開口部に挿入後、回転させ、前記突起部を前記切欠き部に当接させることで前記商品見本を前記ステージの開口部に嵌合保持させることを特徴とする自動販売機の商品見本展示装置。
【請求項２】
本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の本体底部には突起部を設けるとともに、前記ステージの開口部近傍には当該突起部に係合する穴部を設け、
前記商品見本の係合部を前記ステージの開口部に挿入後、回転させ、前記突起部を前記穴部に当接させることで前記商品見本を前記ステージの開口部に嵌合保持させることを特徴とする自動販売機の商品見本展示装置。
【請求項３】
本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部には切欠き部を設けるとともに、前記ステージの開口部には当該切欠き部に係合する段曲げ部を設け、
前記商品見本の係合部を前記ステージの開口部に挿入後、回転させ、前記切欠き部を前記段曲げ部下面に潜り込ませることで前記商品見本を前記ステージの開口部に嵌合保持させることを特徴とする自動販売機の商品見本展示装置。
【請求項４】
本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部に当接する前記ステージの開口部近傍に凹部を設け、前記商品見本を前記ステージの開口部に嵌合保持させることを特徴とする自動販売機の商品見本展示装置。
【請求項５】
本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本が前記ステージの開口部に正常嵌合保持された時には本体底部で隠れる正常嵌合保持目印穴を前記開口部近傍に設け、前記商品見本が前記ステージの開口部に正常嵌合保持されたことを視認可能としたことを特徴とする自動販売機の商品見本展示装置。
【発明の詳細な説明】
【技術分野】
【０００１】
本発明は、自動販売機の本体キャビネット庫内に缶入り飲料、ペットボトル入り飲料などの商品をコールド・ホット状態に区分して保存し、外扉に形成されたディスプレイ室内に配設されたディスプレイ台上に複数の商品見本を左右に並べて展示し、商品見本に応じて設けられた商品選択ボタンを押すことにより指定された商品を販売する自動販売機の商品見本展示装置に関する。
【背景技術】
【０００２】
この種の従来の自動販売機の商品見本展示装置について図１４、および、図１５を用いて説明する。図１４は一般的な缶入り飲料、ペットボトル入り飲料を販売する自動販売機の一例を示し、（ａ）はその正面図、（ｂ）は外扉を開放した状態の斜視図である。また、図１５は従来の商品見本を嵌合保持するディスプレイ台のステージ、開口部、および、商品見本取り付け状態を示し、（ａ）はステージ外観を示す上方斜視図、（ｂ）はステージおよび開口部の上面図、（ｃ）はステージおよび開口部を示す上方斜視図、（ｄ）は商品見本を嵌合保持しているステージおよび開口部の商品見本取り付け状態を示す下方斜視図である。
【０００３】
図に示しているように、この自動販売機は、前面が開放した断熱筐体として形成された本体キャビネット１０と、本体キャビネット１０の前面に開閉可能に支持された外扉２０とから構成されている。そして本体キャビネット１０の商品収納庫の前面は開閉可能な断熱内扉３０によって閉塞されている。
【０００４】
本体キャビネット１０の庫内には、断熱仕切壁により左右方向に複数の商品収納室に区分され、各商品収納室には商品を横倒し状態で収納するとともに下端部に商品搬出機構を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００５】
外扉２０の前面の上部域は透明板４０で覆われ、この透明板４０と外扉２０に開閉可能に支持された中扉６０との間の空間がディスプレイ室５０として形成されている。中扉６０の前面には、本体キャビネット１０の庫内に収納した商品に対応した複数の商品見本８０を左右に一列に並べて載置したディスプレイ台７０が上下方向に３段並べて取り付けられている。
【０００６】
透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０１を有している。
【０００７】
さらに、外扉２０の前面には、硬貨識別装置２０７に連通する硬貨投入口２０１、紙幣識別装置２０８に連通する紙幣挿入口２０２、返却レバー２０３、ロック付ハンドル２０４、硬貨返却口２０５、および商品取出口２０６などが設けられている。
【０００８】
ディスプレイ台７０は、中扉６０に固定された左右一対の固定部材とこの左右一対の固定部材に着脱自在に装着されるステージ（商品見本載置台）７１とからなる。ステージ７１は、横長箱状体の内部に蛍光灯などの照明光源が設けられ、その上面壁には商品見本８０の保持部８０ｄ（係合部８０ｅ）を嵌合保持する開口部７２が左右方向に複数並設されている（図１５（ａ）を参照）。
【０００９】
商品見本８０は硬質の光透過材料により形成された中空状の本体部に商品のデザインが施されている。そして、商品見本８０は本体部の下部側に設けた係合部８０ｅをディスプレイ台７０のステージ７１に形成した開口部７２に嵌合保持されるように構成されている。これにより、ディスプレイ台７０のステージ７１に形成した開口部７２に嵌合保持された係合部８０ｅを有する商品見本８０を展示可能としている。
【００１０】
商品見本８０は立体、具体的には、缶、ペットボトルなどの容器形状に一致させた中空状の本体部を備えた商品見本、中空状の本体部を縦方向に半分に切断してコストの低減を図った半割り状の商品見本（ハーフダミー）８０などが一般的であるが、商品見本の更なるコスト低減を図るため、例えば、半割り状の商品見本を薄いフィルム状の光透過材料により形成した商品見本も出現している。
【００１１】
ところが、この薄いフィルム状の光透過材料からなる半割り状の商品見本（ハーフダミー）８０は、前述したディスプレイ台７０のステージ７１の開口部７２に嵌合させて自立させることができない。そこで、薄いフィルム状の光透過材料からなる半割り状の商品見本の本体部下部側には、本体底部、取り付け溝、保持部、および係止片（爪）を一体的にかつ弾性変形可能に形成してディスプレイ台７０のステージ７１の開口部７２に着脱自在に嵌合保持させるものが知られている（例えば、特許文献１参照）。
【先行技術文献】
【特許文献】
【００１２】
【特許文献１】特開２００６−１２０８４号公報
【発明の概要】
【発明が解決しようとする課題】
【００１３】
このような半割り状の商品見本（ハーフダミー）８０をディスプレイ台７０のステージ７１の開口部７２に取り付けるには、まず、手で半割り状の商品見本８０の本体下部側であってその幅方向の両側（左右両側）を挟み、その両側部が半割り状の商品見本本体の弾性力に抗して互いに接近するように押圧させる。半割り状の商品見本８０の本体下部側の幅方向の左右両側を挟み、左右両側部が互いに接近するように押圧させると、半割り状の商品見本８０の本体下部側の幅方向が細く湾曲した状態になる。このような半割り状の商品見本８０の本体下部側の幅方向が細く湾曲して弾性変形した状態でディスプレイ台７０のステージ７１の開口部７２に上下方向に対向位置させてから保持部８０ｄを開口部７２に挿入する。
【００１４】
半割り状の商品見本（ハーフダミー）８０本体の保持部８０ｄを開口部７２に挿入後、開口部７２の内周縁が取り付け溝内に納まった段階で半割り状の商品見本８０本体下部の押圧を解除すると、半割り状の商品見本８０全体の形状が弾性力によって元の状態に回復し、取り付け溝が開口部７２の内周縁と係合し、保持部８０ｄがディスプレイ台７０のステージ７１の下面に当接されて半割り状の商品見本８０は嵌合保持される（所謂、スナップフィット式ハーフダミー取り付け構造）。この結果、半割り状の商品見本８０はディスプレイ台７０のステージ７１上に起立状態に嵌合保持される。
【００１５】
しかしながら、このようなスナップフィット式ハーフダミー取り付け構造では、保持部８０ｄがディスプレイ台７０のステージ７１の下面に当接されて保持される構造のため、係止片（爪）が半割り状の商品見本（ハーフダミー）８０の裏側の可視範囲外にあり、商品見本８０とディスプレイ台７０のステージ７１の嵌合部が見えない状態で商品見本８０を取り付ける作業を行わなければならず、商品見本８０をディスプレイ台７０のステージ７１に取り付ける作業が難しく、商品見本８０の取り付け不良により、商品見本８０の傾きや外れなどの取り付け不良が発生するという課題があった。
【００１６】
本発明は、以上のような課題を解決するためになされたものであり、商品見本の取り付けを簡便、確実にして作業性を向上するとともに、商品見本の取り付け不良による傾きや外れを防止することができる自動販売機の商品見本展示装置を提供することを目的とする。
【課題を解決するための手段】
【００１７】
上記の目的を達成するために、本発明の請求項１に係る自動販売機の商品見本展示装置は、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部には突起部を設けるとともに、前記ステージの開口部には当該突起部に係合する切欠き部を設け、
前記商品見本の係合部を前記ステージの開口部に挿入後、回転させ、前記突起部を前記切欠き部に当接させることで前記商品見本を前記ステージの開口部に嵌合保持させることを特徴とする。
【００１８】
また、本発明の請求項２に係る自動販売機の商品見本展示装置は、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の本体底部には突起部を設けるとともに、前記ステージの開口部近傍には当該突起部に係合する穴部を設け、
前記商品見本の係合部を前記ステージの開口部に挿入後、回転させ、前記突起部を前記穴部に当接させることで前記商品見本を前記ステージの開口部に嵌合保持させることを特徴とする。
【００１９】
また、本発明の請求項３に係る自動販売機の商品見本展示装置は、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部には切欠き部を設けるとともに、前記ステージの開口部には当該切欠きに係合する段曲げ部を設け、
前記商品見本の係合部を前記ステージの開口部に挿入後、回転させ、前記切欠き部を前記段曲げ部下面に潜り込ませることで前記商品見本を前記ステージの開口部に嵌合保持させることを特徴とする。
【００２０】
また、本発明の請求項４に係る自動販売機の商品見本展示装置は、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本の係合部に当接する前記ステージの開口部近傍に凹部を設け、前記商品見本を前記ステージの開口部に嵌合保持させることを特徴とする。
【００２１】
また、本発明の請求項５に係る自動販売機の商品見本展示装置は、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、
前記商品見本が前記ステージの開口部に正常嵌合保持された時には本体底部で隠れる正常嵌合保持目印穴を前記開口部近傍に設け、前記商品見本が前記ステージの開口部に正常嵌合保持されたことを視認可能としたことを特徴とする。
【発明の効果】
【００２２】
請求項１の発明によれば、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、前記商品見本の係合部には突起部を設けるとともに、前記ステージの開口部には当該突起部に係合する切欠き部を設け、前記商品見本の係合部を前記ステージの開口部に挿入後、回転させ、前記突起部を前記切欠き部に当接させることで前記商品見本を前記ステージの開口部に嵌合保持させることにより、商品見本の係合部が開口部に挿入しやすくなり、また、突起部が切欠き部に当接したことが明確に確認可能となることで、商品見本の取り付けを簡便、確実にして作業性を向上するとともに、商品見本の取り付け不良による傾きや外れを防止することができる自動販売機の商品見本展示装置を提供することが可能となる。
【００２３】
また、請求項２の発明によれば、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、前記商品見本の本体底部には突起部を設けるとともに、前記ステージの開口部近傍には当該突起部に係合する穴部を設け、前記商品見本の係合部を前記ステージの開口部に挿入後、回転させ、前記突起部を前記穴部に当接させることで前記商品見本を前記ステージの開口部に嵌合保持させることにより、商品見本の係合部が開口部に挿入しやすくなり、また、突起部が穴部に当接したことが明確に確認可能となることで、商品見本の取り付けを簡便、確実にして作業性を向上するとともに、商品見本の取り付け不良による傾きや外れを防止することができる自動販売機の商品見本展示装置を提供することが可能となる。
【００２４】
また、請求項３の発明によれば、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、前記商品見本の係合部には切欠き部を設けるとともに、前記ステージの開口部には当該切欠き部に係合する段曲げ部を設け、前記商品見本の係合部を前記ステージの開口部に挿入後、回転させ、前記切欠き部を前記段曲げ部下面に潜り込ませることで前記商品見本を前記ステージの開口部に嵌合保持させることにより、商品見本の係合部が開口部に挿入しやすくなり、また、切欠き部が段曲げ部に当接したことが明確に確認可能となることで、商品見本の取り付けを簡便、確実にして作業性を向上するとともに、商品見本の取り付け不良による傾きや外れを防止することができる自動販売機の商品見本展示装置を提供することが可能となる。
【００２５】
また、請求項４の発明によれば、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、前記商品見本の係合部に当接する前記ステージの開口部近傍に凹部を設け、前記商品見本を前記ステージの開口部に嵌合保持させることにより、商品見本が傾くことを防ぐことができ、商品見本の取り付けを簡便、確実にして作業性を向上するとともに、商品見本の取り付け不良による傾きや外れを防止することができる自動販売機の商品見本展示装置を提供することが可能となる。
【００２６】
また、請求項５の発明によれば、本体キャビネットの前面を開閉する外扉に形成されたディスプレイ室内に配設され、商品見本の係合部を嵌合保持する開口部が形成されたステージを有するディスプレイ台を備えた自動販売機の商品見本展示装置において、前記商品見本が前記ステージの開口部に正常嵌合保持された時には本体底部で隠れる正常嵌合保持目印穴を前記開口部近傍に設け、前記商品見本が前記ステージの開口部に正常嵌合保持されたことを視認可能としたことにより、商品見本が開口部に確実に嵌合保持されていることが容易に確認できるようになることで、商品見本の取り付けを簡便、確実にして作業性を向上するとともに、商品見本の取り付け不良による傾きや外れを防止することができる自動販売機の商品見本展示装置を提供することが可能となる。
【図面の簡単な説明】
【００２７】
【図１】本発明の実施の形態に係る自動販売機の商品見本展示装置の半割り状の商品見本の一例を示し、（ａ）はその斜視図、（ｂ）はその正面図、（ｃ）はその側面図である。
【図２】図１に示した半割り状の商品見本本体下部の詳細断面側面図である。
【図３】図１に示した半割り状の商品見本をステージに取り付けた状態を示す詳細断面側面図である。
【図４】本発明の実施の形態１である自動販売機の商品見本展示装置のディスプレイ台のステージ開口部に嵌合保持される半割り状の商品見本を示し、（ａ）はその下方斜視図、（ｂ）は係合部に設けた突起部の拡大図である。
【図５】図４に示した半割り状の商品見本を嵌合保持するディスプレイ台のステージ開口部、および、商品見本取り付け状態を示し、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【図６】本発明の実施の形態２である自動販売機の商品見本展示装置のディスプレイ台のステージ開口部に嵌合保持される半割り状の商品見本を示し、（ａ）はその下方斜視図、（ｂ）は本体底部に設けた突起部の拡大図である。
【図７】図６に示した半割り状の商品見本を嵌合保持するディスプレイ台のステージ開口部、および、商品見本取り付け状態を示し、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【図８】本発明の実施の形態３である自動販売機の商品見本展示装置のディスプレイ台のステージ開口部に嵌合保持される半割り状の商品見本を示し、（ａ）はその下方斜視図、（ｂ）は係合部に設けた切欠き部の拡大図である。
【図９】図８に示した半割り状の商品見本を嵌合保持するディスプレイ台のステージ開口部、および、商品見本取り付け状態を示し、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【図１０】本発明の実施の形態４である自動販売機の商品見本展示装置のディスプレイ台のステージ開口部に嵌合保持される半割り状の商品見本を示し、（ａ）はその下方斜視図、（ｂ）は係合部に設けた切欠き部の拡大図である。
【図１１】図１０に示した半割り状の商品見本を嵌合保持するディスプレイ台のステージ開口部、および、商品見本取り付け状態を示し、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【図１２】本発明の実施の形態５である自動販売機の商品見本展示装置のディスプレイ台のステージ開口部に商品見本を取り付けた状態を示し、（ａ）はステージおよび開口部を示す上方斜視図、（ｂ）は半割り状の商品見本を嵌合保持しているステージおよび開口部の詳細断面側面図である。
【図１３】本発明の実施の形態６である自動販売機の商品見本展示装置のディスプレイ台のステージ開口部に嵌合保持される商品見本を示し、（ａ）は商品見本がステージの開口部に正常に嵌合保持されている状態を示す上方斜視図、（ｂ）は商品見本がステージの開口部から左側に外れている状態を示す上方斜視図である。
【図１４】従来の自動販売機を示し、（ａ）はその正面図、（ｂ）は外扉を開放した状態の斜視図である。
【図１５】従来の半割り状の商品見本を嵌合保持するディスプレイ台のステージ、開口部、および、商品見本取り付け状態を示し、（ａ）はステージ外観を示す上方斜視図、（ｂ）はステージおよび開口部の上面図、（ｃ）はステージおよび開口部を示す上方斜視図、（ｄ）は半割り状の商品見本を嵌合保持しているステージおよび開口部の商品見本取り付け状態を示す下方斜視図である。
【発明を実施するための形態】
【００２８】
以下、本発明の実施の形態に係る自動販売機の商品見本展示装置について添付図面を参照して詳細に説明する。ここで、本発明の実施の形態に係る自動販売機の商品見本展示装置が従来装置と相違する点は特にディスプレイ台の周辺であるので、ここでは従来装置と相違するディスプレイ台の周辺について説明することとし、また、自動販売機の全体構成は図１４に示したものと同一であるので適宜、図１４を参照しつつ説明を行う。
【００２９】
図１は、半割り状の商品見本（ハーフダミー）の一例を示し、（ａ）はその斜視図、（ｂ）はその正面図、（ｃ）はその側面図である。図２は、図１に示した半割り状の商品見本本体下部の詳細断面側面図であり、図３は、図１に示した半割り状の商品見本をステージに取り付けた状態を示す詳細断面側面図である。
【００３０】
図において、８１は薄いフィルム状の光透過材料（例えば、アクリル樹脂）により形成した半割り状の商品見本（ハーフダミー）であり、この例ではペットボトル入り飲料の商品見本を示している。この商品見本８１は、その本体部８１ａの下部側に本体底部８１ｂ、取り付け溝８１ｃ、保持部８１ｄを一体的にかつ弾性変形可能に形成してディスプレイ台７０のステージ７１の開口部７２（図５を参照）に係合部８１ｅ（本体底部８１ｂ、取り付け溝８１ｃ、保持部８１ｄで商品見本８１の係合部８１ｅが構成されている）で着脱自在に嵌合保持される。この取り付け溝８１ｃの上下方向隙間寸法（本体底部８１ｂの下面と保持部８１ｄの上面との間の間隙寸法）はディスプレイ台７０のステージ７１の板厚寸法より若干大きめに設けられている。
【００３１】
なお、缶入り飲料、瓶入り飲料などの商品見本もペットボトル入り飲料と同様に光透過材料によりそれぞれの容器形状と同一の外形形状に形成されるとともに同様の係合部が形成されている。そして、商品見本８１は係合部８１ｅでディスプレイ台７０のステージ７１の開口部７２に着脱自在に嵌合保持されるようになっている。
【００３２】
（実施の形態１）
図４は、本発明の実施の形態１である自動販売機の商品見本展示装置のディスプレイ台のステージ開口部に嵌合保持される半割り状の商品見本（ハーフダミー）を示し、（ａ）はその下方斜視図、（ｂ）は係合部に設けた突起部の拡大図である。図５は、図４に示した半割り状の商品見本を嵌合保持するディスプレイ台のステージ開口部、および、商品見本取り付け状態を示す図であり、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【００３３】
図に示しているように、商品見本８１の係合部８１ｅ（本体底部８１ｂ、取り付け溝８１ｃ、保持部８１ｄで商品見本８１の係合部８１ｅが構成されている）には突起部（三角突起）８１ｆを設けている。また、ディスプレイ台７０のステージ７１の開口部７２には突起部８１ｆに係合する切欠き部７２ａを設けている。そして、商品見本８１の係合部８１ｅをステージ７１の開口部７２に挿入後、回転させると、図５（ｃ）に示しているように、突起部８１ｆが切欠き部７２ａに当接することで、商品見本８１をステージ７１の開口部７２に嵌合保持させるようにしている。
【００３４】
このようにすることにより、商品見本８１の係合部８１ｅが開口部７２に挿入しやすくなり、また、突起部８１ｆが切欠き部７２ａに当接したことが明確に確認可能となることで、商品見本８１の取り付けを簡便、確実にして作業性を向上するとともに、商品見本８１の取り付け不良による傾きや外れを防止することができる自動販売機の商品見本展示装置を提供することが可能となる。
【００３５】
（実施の形態２）
図６は、本発明の実施の形態２である自動販売機の商品見本展示装置のディスプレイ台のステージ開口部に嵌合保持される半割り状の商品見本（ハーフダミー）を示し、（ａ）はその下方斜視図、（ｂ）は係合部に設けた突起部の拡大図である。図７は、図６に示した半割り状の商品見本を嵌合保持するディスプレイ台のステージ開口部、および、商品見本取り付け状態を示す図であり、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【００３６】
図に示しているように、商品見本８２の本体底部８２ｂには突起部（丸突起）８２ｆを設けている。また、ディスプレイ台７０のステージ７１の開口部７２近傍で突起部８２ｆに係合する位置には突起部８２ｆの直径より若干大きい直径の穴部７２ｂを設けている。そして、商品見本８２の係合部８２ｅ（商品見本８１の本体底部８１ｂ、取り付け溝８１ｃ、保持部８１ｄで構成される係合部８１ｅと同様に本体底部８２ｂ、取り付け溝８２ｃ、保持部８２ｄで商品見本８２の係合部８２ｅが構成されている）をステージ７１の開口部７２に挿入後、回転させると、図７（ｃ）に示しているように、突起部８２ｆが穴部７２ｂに当接（挿入）することで、商品見本８２をステージ７１の開口部７２に嵌合保持させるようにしている。
【００３７】
このようにすることにより、商品見本８２の係合部８２ｅが開口部７２に挿入しやすくなり、また、突起部８２ｆが穴部７２ｂに当接（挿入）したことが明確に確認可能となることで、商品見本８２の取り付けを簡便、確実にして作業性を向上するとともに、商品見本８２の取り付け不良による傾きや外れを防止することができる自動販売機の商品見本展示装置を提供することが可能となる。
【００３８】
（実施の形態３）
図８は、本発明の実施の形態３である自動販売機の商品見本展示装置のディスプレイ台のステージ開口部に嵌合保持される半割り状の商品見本（ハーフダミー）を示し、（ａ）はその下方斜視図、（ｂ）は係合部に設けた切欠き部の拡大図である。図９は、図８に示した半割り状の商品見本を嵌合保持するディスプレイ台のステージ開口部、および、商品見本取り付け状態を示す図であり、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【００３９】
図に示しているように、商品見本８３の係合部８３ｅ（商品見本８１の本体底部８１ｂ、取り付け溝８１ｃ、保持部８１ｄで構成される係合部８１ｅと同様に本体底部８３ｂ、取り付け溝８３ｃ、保持部８３ｄで商品見本８３の係合部８３ｅが構成されている）には切欠き部８３ｆを設けている。また、ディスプレイ台７０のステージ７１の開口部７２には切欠き部８３ｆに係合する段曲げ部７２ｃを設けている。そして、商品見本８３の係合部８３ｅをステージ７１の開口部７２に挿入後、回転させると、図９（ｃ）に示しているように、切欠き部８３ｆが段曲げ部７２ｃ下面に潜り込み、切欠き部８３ｆ端面が段曲げ部７２ｃ端面に当接することで、商品見本８３をステージ７１の開口部７２に嵌合保持させるようにしている。
【００４０】
このようにすることにより、商品見本８３の係合部８３ｅが開口部７２に挿入しやすくなり、また、切欠き部８３ｆ端面が段曲げ部７２ｃ端面に当接したことが明確に確認可能となることで、商品見本８３の取り付けを簡便、確実にして作業性を向上するとともに、商品見本８３の取り付け不良による傾きや外れを防止することができる自動販売機の商品見本展示装置を提供することが可能となる。
【００４１】
（実施の形態４）
図１０は、本発明の実施の形態４である自動販売機の商品見本展示装置のディスプレイ台のステージ開口部に嵌合保持される半割り状の商品見本（ハーフダミー）を示し、（ａ）はその下方斜視図、（ｂ）は係合部に設けた切欠き部の拡大図である。図１１は、図１０に示した半割り状の商品見本を嵌合保持するディスプレイ台のステージ開口部、および、商品見本取り付け状態を示す図であり、（ａ）はステージおよび開口部の上面図、（ｂ）はステージおよび開口部を示す上方斜視図、（ｃ）は半割り状の商品見本を嵌合保持しているステージおよび開口部の商品見本取り付け状態を示す下方斜視図である。
【００４２】
図に示しているように、商品見本８４の係合部８４ｅ（商品見本８１の本体底部８１ｂ、取り付け溝８１ｃ、保持部８１ｄで構成される係合部８１ｅと同様に本体底部８４ｂ、取り付け溝８４ｃ、保持部８４ｄで商品見本８４の係合部８４ｅが構成されている）と底部８４ｇとの接合部には切欠き部８４ｆを設けている。また、ディスプレイ台７０のステージ７１の開口部７２には切欠き部８４ｆに係合する段曲げ部７２ｄを設けている。そして、商品見本８４の係合部８４ｅをステージ７１の開口部７２に挿入後、回転させると、図１１（ｃ）に示しているように、切欠き部８４ｆが段曲げ部７２ｄ下面に潜り込み、切欠き部８４ｆ端面が段曲げ部７２ｄ端面に当接することで、商品見本８４をステージ７１の開口部７２に嵌合保持させるようにしている。
【００４３】
このようにすることにより、商品見本８４の係合部８４ｅが開口部７２に挿入しやすくなり、また、切欠き部８４ｆ端面が段曲げ部７２ｄ端面に当接したことが明確に確認可能となることで、商品見本８４の取り付けを簡便、確実にして作業性を向上するとともに、商品見本８４の取り付け不良による傾きや外れを防止することができる自動販売機の商品見本展示装置を提供することが可能となる。
【００４４】
（実施の形態５）
図１２は、本発明の実施の形態５である自動販売機の商品見本展示装置のディスプレイ台のステージ開口部に商品見本を取り付けた状態を示し、（ａ）はステージおよび開口部を示す上方斜視図、（ｂ）は半割り状の商品見本を嵌合保持しているステージおよび開口部の詳細断面側面図である。図に示しているように、商品見本８１の本体底部８１ｂ、取り付け溝８１ｃ、保持部８１ｄで構成される係合部８１ｅの保持部８１ｄに当接するようにディスプレイ台７０のステージ７１の開口部７２近傍に凹部７２ｅを設けている。そして、商品見本８１の係合部８１ｅをステージ７１の開口部７２に挿入後、回転させて商品見本８１をステージ７１の開口部７２に嵌合保持させると、凹部７２ｅが保持部８１ｄに当接するようにしている。
【００４５】
このようにすることにより、商品見本８１が傾くことを防ぐことができ、商品見本８１の取り付けを簡便、確実にして作業性を向上するとともに、商品見本８１の取り付け不良による傾きや外れを防止することができる自動販売機の商品見本展示装置を提供することが可能となる。
【００４６】
（実施の形態６）
図１３は、本発明の実施の形態６である自動販売機の商品見本展示装置のディスプレイ台のステージ開口部に嵌合保持される商品見本を示し、（ａ）は商品見本がステージの開口部に正常に嵌合保持されている状態を示す上方斜視図、（ｂ）は商品見本がステージの開口部から左側に外れている状態を示す上方斜視図である。
【００４７】
図に示しているように、商品見本８１がステージ７１の開口部７２に正常嵌合保持された時には本体底部８１ｂ（係合部８１ｅ）で隠れる正常嵌合保持目印穴７２ｆを開口部７２近傍に設けている。そして、商品見本８１の係合部８１ｅをステージ７１の開口部７２に挿入後、回転させて商品見本８１をステージ７１の開口部７２に嵌合保持させた時、商品見本８１がステージ７１の開口部７２に正常に嵌合保持されている状態では、正常嵌合保持目印穴７２ｆは本体底部８１ｂ（係合部８１ｅ）で隠れることで商品見本８１がステージ７１の開口部７２に正常に嵌合保持されていることが視認できる。
【００４８】
しかしながら、例えば、商品見本８１がステージ７１の開口部７２から左側に外れていると、開口部７２近傍右側に設けた正常嵌合保持目印穴７２ｆが視認できる状態となることで、商品見本８１が左側に外れており、商品見本８１がステージ７１の開口部７２に正常に嵌合保持されていないことが容易に確認できる。
【００４９】
このように、商品見本８１がステージ７１の開口部７２に正常嵌合保持された時には本体底部８１ｂ（係合部８１ｅ）で隠れる正常嵌合保持目印穴７２ｆを開口部７２近傍に設け、商品見本８１がステージ７１の開口部７２に正常嵌合保持されていることを視認可能としたことにより、商品見本８１が開口部７２に確実に嵌合保持されていることが容易に確認できるようになり、商品見本８１の取り付けを簡便、確実にして作業性を向上するとともに、商品見本８１の取り付け不良による傾きや外れを防止することができる自動販売機の商品見本展示装置を提供することが可能となる。
【００５０】
以上説明したように本発明によれば、本体キャビネット１０の前面を開閉する外扉２０に形成されたディスプレイ室５０内に配設され、商品見本８１の係合部８１ｅを嵌合保持する開口部７２が形成されたステージ７１を有するディスプレイ台７０を備えた自動販売機の商品見本展示装置において、商品見本８１の係合部８１ｅには突起部８１ｆを設けるとともに、ステージ７１の開口部７２には当該突起部８１ｆに係合する切欠き部７２ａを設け、商品見本８１の係合部８１ｅをステージ７１の開口部７２に挿入後、回転させ、突起部８１ｆを切欠き部７２ａに当接させることで商品見本８１をステージ７１の開口部７２に嵌合保持させることにより、商品見本８１の係合部８１ｅが開口部７２に挿入しやすくなり、また、突起部８１ｆが切欠き部７２ａに当接したことが明確に確認可能となることで、商品見本８１の取り付けを簡便、確実にして作業性を向上するとともに、商品見本８１の取り付け不良による傾きや外れを防止することができる自動販売機の商品見本展示装置を提供することが可能となる。
【００５１】
また、本体キャビネット１０の前面を開閉する外扉２０に形成されたディスプレイ室５０内に配設され、商品見本８２の係合部８２ｅを嵌合保持する開口部７２が形成されたステージ７１を有するディスプレイ台７０を備えた自動販売機の商品見本展示装置において、商品見本８２の本体底部８２ｂには突起部８２ｆを設けるとともに、ステージ７１の開口部７２近傍には当該突起部８２ｆに係合する穴部７２ｂを設け、商品見本８２の係合部８２ｅをステージ７１の開口部７２に挿入後、回転させ、突起部８２ｆを穴部７２ｂに当接させることで商品見本８２をステージ７１の開口部７２に嵌合保持させることにより、商品見本８２の係合部８２ｅが開口部７２に挿入しやすくなり、また、突起部８２ｆが穴部７２ｂに当接したことが明確に確認可能となることで、商品見本８２の取り付けを簡便、確実にして作業性を向上するとともに、商品見本８２の取り付け不良による傾きや外れを防止することができる自動販売機の商品見本展示装置を提供することが可能となる。
【００５２】
また、本体キャビネット１０の前面を開閉する外扉２０に形成されたディスプレイ室５０内に配設され、商品見本８３、８４の係合部８３ｅ、８４ｅを嵌合保持する開口部７２が形成されたステージ７１を有するディスプレイ台７０を備えた自動販売機の商品見本展示装置において、商品見本８３、８４の係合部８３ｅ、８４ｅには切欠き部８３ｆ、８４ｆを設けるとともに、ステージ７１の開口部７２には当該切欠き部８３ｆ、８４ｆに係合する段曲げ部７２ｃ、７２ｄを設け、商品見本８３、８４の係合部８３ｅ、８４ｅをステージ７１の開口部７２に挿入後、回転させ、切欠き部８３ｆ、８４ｆを段曲げ部７２ｃ、７２ｄ下面に潜り込ませることで商品見本８３、８４をステージ７１の開口部７２に嵌合保持させることにより、商品見本８３、８４の係合部８３ｅ、８４ｅが開口部７２に挿入しやすくなり、また、切欠き部８３ｆ、８４ｆが段曲げ部７２ｃ、７２ｄに当接したことが明確に確認可能となることで、商品見本８３、８４の取り付けを簡便、確実にして作業性を向上するとともに、商品見本８３、８４の取り付け不良による傾きや外れを防止することができる自動販売機の商品見本展示装置を提供することが可能となる。
【００５３】
また、本体キャビネット１０の前面を開閉する外扉２０に形成されたディスプレイ室５０内に配設され、商品見本８１の係合部８１ｅを嵌合保持する開口部７２が形成されたステージ７１を有するディスプレイ台７０を備えた自動販売機の商品見本展示装置において、商品見本８１の係合部８１ｅに当接するステージ７１の開口部７２近傍に凹部７２ｅを設け、商品見本８１をステージ７１の開口部７２に嵌合保持させることにより、商品見本８１が傾くことを防ぐことができ、商品見本８１の取り付けを簡便、確実にして作業性を向上するとともに、商品見本８１の取り付け不良による傾きや外れを防止することができる自動販売機の商品見本展示装置を提供することが可能となる。
【００５４】
また、本体キャビネット１０の前面を開閉する外扉２０に形成されたディスプレイ室５０内に配設され、商品見本８１の係合部８１ｅを嵌合保持する開口部７２が形成されたステージ７１を有するディスプレイ台７０を備えた自動販売機の商品見本展示装置において、商品見本８１がステージ７１の開口部７２に正常嵌合保持された時には本体底部８１ｂで隠れる正常嵌合保持目印穴７２ｆを開口部７２近傍に設け、商品見本８１がステージ７１の開口部７２に正常嵌合保持されたことを視認可能としたことにより、商品見本８１が開口部７２に確実に嵌合保持されていることが容易に確認できるようになり、商品見本８１の取り付けを簡便、確実にして作業性を向上するとともに、商品見本８１の取り付け不良による傾きや外れを防止することができる自動販売機の商品見本展示装置を提供することが可能となる。
【産業上の利用可能性】
【００５５】
以上のように、本発明に係る自動販売機の商品見本展示装置は、例えば、缶入り飲料やペットボトル入り飲料などの商品を販売する自動販売機の商品見本の取り付けを簡便、確実にして作業性を向上するとともに、商品見本の取り付け不良による傾きや外れを防止するのに有用である。
【符号の説明】
【００５６】
１０      本体キャビネット
２０      外扉
５０      ディスプレイ室
７０      ディスプレイ台
７１      ステージ
７２      開口部
７２ａ      切欠き部
７２ｂ      穴部
７２ｃ      段曲げ部
７２ｄ      段曲げ部
７２ｅ      凹部
７２ｆ      正常嵌合保持目印穴
８１      商品見本
８１ａ      本体部
８１ｂ      本体底部
８１ｃ      取り付け溝
８１ｄ      保持部
８１ｅ      係合部
８１ｆ      突起部
【図１】
2018010469.tif 000003
【図２】
2018010469.tif 000004
【図３】
2018010469.tif 000005
【図４】
2018010469.tif 000006
【図５】
2018010469.tif 000007
【図６】
2018010469.tif 000008
【図７】
2018010469.tif 000009
【図８】
2018010469.tif 000010
【図９】
2018010469.tif 000011
【図１０】
2018010469.tif 000012
【図１１】
2018010469.tif 000013
【図１２】
2018010469.tif 000014
【図１３】
2018010469.tif 000015
【図１４】
2018010469.tif 000016
【図１５】
2018010469.tif 000017